【手続補正書】
【提出日】平成20年4月7日(2008.4.7)
【手続補正１】
【補正対象書類名】明細書
【補正対象項目名】全文
【補正方法】変更
【補正の内容】
【発明の詳細な説明】
【発明の名称】α線と蛍光体と太陽電池よりなる第二の原子力発電法
【発明の詳細な説明】
【技術分野】
【技術分野】
【０００１】  この発明は太陽電池（１）の上に蛍光体（５）を積層し、その上に更にプルトニュウム２３８（２）を積層せしめ、プルトニュウム２３８（２）から放射されるα線〔１０〕が蛍光体（５）に照射され、発生する蛍光〔１１〕が太陽電池（１）に降り注ぎ発電すると言うものである。※▲１▼（第１図）は、この発明の全体像を示す概念図である。【０００２】  その際α線を用いれば、太陽光の様な電磁線による発電よりも桁外れの大きな電流を得ることが可能である。【０００３】  この発明は９つの小提案からなっている。
１９８８年８月２６日午後１時５５分飯山市内で太陽電池（１）の発電効率を調べたところ１４３ｍＡ、４．８５ボルト（使用した太陽電池の表面積は１３８平方ｃｍである。）であった。以下太陽電池（１）は表面積を１００平方ｃｍに換算して計算する。
即ち、発電効率は（１０３，６ｍＡ）を１００ｍＡ、電圧は（４，８５ボルト）を５，００ボルト、プルトニュウム２３８の密度を２０ｇ（１９，８４ｇ）として計算する。【０００４】  １９８８年に私達は放射線による発電を志しＮ日赤のＸ線装置とコバルト照射器を使って次の二つの事実を確かめた。即ち
（１）太陽電池にＸ線を照射すると、微量の発電効率を得ること。【０００５】（２）その時、※蛍光体板（図５）▲７▼で太陽電池を覆ってその上からＸ線を照射すると（※（表１）▲３▼参照）表１の様に発電効率が７３３，３倍、８２７，６倍、８５７，１倍、９２２，２倍に増加した。此の事実を利用する事が第一の提案である。【０００６】
【表１】
2007303823.tif 000001
［図５］▲７▼：蛍光体板（３）の図面、実験に使用した中古の蛍光体板、４１ｃｍ×４２ｃｍ、ほぼ正方形をなす。【０００７】  第二の提案の説明：α線を先ず蛍光体（５）に照射する⇒蛍光体は極めて強い蛍光を発生する。（この蛍光体による発電効率の増加は理論的に言って電磁線であるＸ線よりもα線のほうが断然に、ずっと遙かに大きな値をもたらすものである。）⇒その発生した蛍光が⇒太陽電池に照射されて太陽電池に大きな起電力を与える。⇒このプロセスにより電流は太陽電池か蛍光体のどちらかが劣化する迄、電流を流し続けるものである。
此が第二の提案である。【０００８】  第三の提案は太陽電池が極端に薄いこどである。この事実は案外しられていない。此の事実を利用する。即ち、太陽電池ｐ層が１５０Å、ｉ層が５０００Å、ｎ層が５００Å、アルミニウム電極が１μｍ、合算しても太陽電池一個の厚さは１，５６５μｍとなる。それに蛍光体とプルトニュウム２３８の層がそれぞれ１００μｍ位が必要であるが架台を入れても合計数ｍｍ以下とすることができる。【０００９】  第四の提案は点線源と面線源の問題である。例えばＸ線管球の半径が３０ｍｍと仮定すれば、このＸ線管球を精一杯太陽電池に近づけたとしても３０ｍｍ以上に近づける事はできない。またＸ線は点線源であるから太陽電池全体に渡り等しく近づける事ができない。良く当たる部分と良く当たらない部分が出てくる。【００１０】  此に対してプルトニュウム２３８の場合は、その半径のｎ分の一（※第三図▲５▼参照）の小球体を太陽電池の上に置くと此の小球体は太陽電池に密着してその全α線エネルギーの下半分つまり、５０％を太陽電池に与える事になる。そしてｎを大きくすればｎ個の小球体は粉末状の、砂状の、或いは板状の面線源（※第四図▲６▼参照）となり太陽電池に対して極めて強い近接効果を示すものである。
此が第四の提案である。【００１１】  第五の提案：α線型太陽電池モジュール（※第六図▲８▼参照）：（図６▲８▼）、第六図▲８▼の様に透明伝導膜〔４〕を真ん中に挟んでサンドイッチ状に構成する。透明伝導膜〔４〕を中心に置きその両側にプルトニュウム２３８（２）を位置せしめ、更にその外側に蛍光体（５）を置き、またその外側に太陽電池（１）を位置せしめる。
この構造を向後α線型太陽電池モジュールと名付ける。
次にα線の問題がある。【００１２】（イ）従来、所謂、主として放射性同位元素を使用した原子力発電法はあった。
従来の原子力発電装置は放射性同位元素の核分裂により生ずる熱エネルギーによりタービンを回して発電するものであった。
〔ロ〕又、放射線による微量の発熱を熱電変換素子により電流を得る方法があった。主として心臓のペースメーカーなどに使用された。
【発明が解決しようとする課題】
【００１３】  これには次のよな欠点があった。
（イ）従来の原子力発電は核分裂に際して生ずる熱エネルギーを用いて、蒸気タービンを回し発電機によって電力を得るものであり、原子炉、タービン、発電機等々、巨大且つ複雑な設備を必要とした。
【００１４】〔ロ〕地震等による被害を避ける為に、地盤の固いところ、地下の岩石の上に建設しなければならず、設置場所が制限されていた。
【００１５】〔ハ〕α崩壊に伴う微量の熱を熱電変換装置を使って電力にして取り出し、心臓の不整脈に対するペースメーカーとして利用されているが極めて微量な発電である。
【００１６】〔ニ〕太陽光、可視光線、Ｘ線等の電磁線が数電子ボルトのエネルギー領域にあるのに対して、α線は原子核の崩壊によって放出される放射線である為、一個のα粒子であっても１０Ｍｅ、つまり、１０００万電子ボルトのエネルギーを持っている。可視光に比べれば１０００万個の光子持つエネルギーである。α線を太陽電池発電のような発電に利用する際の問題は、如何にすれば、このようにかけ離れた超高エネルギーを、１０００万個程度の部分エネルギーに分割縮小して可視光のエネルギー領域まで下げることできるかと言うことである。例えば一億円の金塊で、一個１０円の飴玉を１０００万個買うようなものである。「一億円の金塊をどのようにして普通の人が使えるように縮小させ得るか」ということと同じである。
本発明はこれらの欠点を除くためになされたものである。
【課題を解決するための手段】
【００１７】（イ）先ず、プルトニュウム２３８の塊を粉砕して一個の粒子とする。その際、その粒子の直径を、少なくとも１μｍの程度の粒子にまで縮小化する。プルトニュウム２３８をこの直径１μｍ乃至それ以下の小粒子に迄粉砕縮小化することが出来るか否かと言うことが、蛍光体の劣化を何処まで防ぐことが出来るか否かと言う事と共に、我々の提案の可否を決定する二つの大きな課題である。又、太陽電池の破壊、劣化の問題もある。
【発明実施の形態】
【００１８】  以下、本発明の実施例について説明する。
（イ）今、此処に２０ｃｃあたり一億分の一ｇのプルトニュウム２３８の小粒子を含むコロイドを作る。もしコロイドが出来なければ保護コロイドを加える。
先ず、ここで太陽電池の上に仮に４０μｍ前後の厚さの蛍光体を敷き詰め、その上に次のようにして一億分の一ｇから始まって、１ｇの百万分の一ｇ、に至るまで段階を追って順次プルトニュウム２３８の量を増やし、その時々の発電効率を測定して行く。
【００１９】  コロイド溶液２０ｃｃを太陽電池の上に均等に敷き詰める。
［図８］Ａ▲１０▼は太陽電池の図である。（図９）Ｂ▲１１▼、（図１０）Ｃ▲１２▼、（図１１）Ｄ▲１３▼は太陽電池の周囲に、小学校の工作の時間に使う粘土で、（図９）Ｂ▲１１▼、（図１０）Ｃ▲１２▼、（図１１）Ｄ▲１３▼の如く、高さ幅、共に４〜５ｍｍ前後の堤防を設け牛乳を太陽電池の表面に敷き置く。この時、水や牛乳であると、１０ｃｃ前後であると、（図９）Ｂ▲１１▼の如く牛乳を、太陽電池全面に均等に配布敷き詰めることが出来ない。コロイド溶液の量が不十分である。コロイド溶液が（ここではかわりに牛乳を使っている）２０ｃｃなら（図１０Ｃ▲１２▼）（図１１）Ｄ▲１３▼のようにコロイド溶液を太陽電池の上に均等に敷き詰めることができる。即ち、実際に使用するコロイド溶液は２０ｃｃ（乃至は２０ｃｃ以上）でなければならない。（図１０）Ｃ▲１２▼、（図１１）Ｄ▲１３▼ではコロイド溶液（２５〜３０ｃｃ前後）が太陽電池の上に牛乳が一様に均等に敷き詰められている。
【００２０】  この様にしてコロイド溶液を太陽電池に敷き詰め、敷き詰めたのち乾燥させる。
このように太陽電池の上に均等にプルトニュウム２３８の小粒子を敷き詰める。此が第７の提案である。
【００２１】  仮に使用するプルトニュウム２３８の微細化がならず直径１００μｍを越えたとしても、必ずしも問題ではない。その場合、要するに直径１００μｍの粒体が太陽電池の全表面上均等に散乱状態をなして存在して居れば、その儘実験を続けても構わない。
【００２２】  プルトニュウム２３８の微小体とその発電効率の測定。：太陽電池の上にそして蛍光体の上に敷き詰めるプルトニュウム２３８の必要量の決定。
要するに１ｇの一億分の一ｇ（おそらく零に近く測定不能かも知れない）から始めて⇒百万分の一ｇに至る迄、それぞれのプルトニュウム２３８の量を順を追って連続して増加させ、その時々の発電効率・起電力を調べて行く。
【００２３】  そして例えば仮に１ｇの千万分の一ｇ量にまで来た時（（４６）参照：千万分の一が）、始めてその測定値が、可視光の発電効率と同じ値を示したとき、つまりもっと具体的に言うならば、例えば１００平方ｃｍあたり１００ｍＡ迄に、可視光のエネルギー領域とα線のエネルギー領域とがクロスして繋がり一致したことになる。
【００２４】  つまり逆に言えば、ここでは、α線の超高エネルギーを分割縮小し可視光のエネルギー領域まで下げ、普通の太陽電池を使用することが出来る、その同じ位のα線のエネルギー領域を探し出す事が出来たこのになる。
【００２５】  原子炉で核分裂によって放出されるエネルギー（放出中性子、ガンマ線や核分裂生成核の運動エネルギー）も似た様なエネルギー領域にあり、本提案と同じ様な問題を抱えて居る。それをどのように解決して居るかと言うと、一旦減速剤などで熱エネルギーに変換し、その熱エネルギーで蒸気を生成し、普通のタービンを回して、電気エネルギーに変換して居る。一億円の金塊を減速剤と言うあまり機能的でないけれども確実な銀行で両替して、普通の人が使える様にして居る事に喩えられる。
【００２６】  此処でもっと具体的に実際のα線エネルギーの分割の実際の形態を示す。
（１）即ち、以下一億分の一ｇから実験を始める。
１×１００，０００，０００分の一ｇ＝１×１０−８ｇのプルトニュウム２３８を含んだコロイド溶液を使用する、そのコロイド溶液を太陽電池の上に敷き詰めその時の発電効率Ｘ１アンペアを測定する。
（２）次に一億分の一ｇ即ち１．２×１０−８ｇのプルトニュウム２３８を使用してその時の発電効率Ｘ２アンペアを測定する。
【００２７】（３）次に一億分の一ｇ即ち１，４×１０−８ｇのプルトニュウム２３８を使用してその時の発電効率Ｘ３アンペアを測定する。
〔４〕次に一億分の１，６ｇ即ち１，６×１０−８ｇのプルトニュウム２３８を使用してその時の発電効率Ｘ４アンペアを測定する。
（５）次に一億分の１，８ｇ即ち１，８×１０−８ｇのプルトニュウム２３８を使用してその時の発電効率Ｘ５アンペアを測定する。
（６）次に一億分の２．０ｇ即ち２．０×１０−８ｇのプルトニュウム２３８を使用してその時の発電効率Ｘ６アンペアを測定する。
（７）次に一億分の２．２ｇ即ち２．２×１０−８ｇのプルトニュウム２３８を使用してその時の発電効率Ｘ７アンペアを測定する。
（８）次に一億分の２．２ｇ即ち２．２×１０−８ｇのプルトニュウム２３８を使用してその時の発電効率Ｘ８アンペアを測定する。
〔９〕次に一億分の２．６ｇ即ち２．６×１０−８ｇのプルトニュウム２３８を使用してその時の発電効率Ｘ９アンペアを測定する。
〔１０〕次に一億分の２．８ｇ即ち２．８×１０−８ｇのプルトニュウム２３８を使用してその時の発電効率Ｘ１０アンペアを測定する。
【００２８】（１１）次に一億分の３．０ｇ即ち３．０×１０−８ｇのプルトニュウム２３８を使用してその時の発電効率Ｘ１１アンペアを測定する。
（１２）次に一億分の３．２ｇ即ち３．２×１０−８ｇのプルトニュウム２３８を使用してその時の発電効率Ｘ１２アンペアを測定する。
（１３）次に一億分の３．４ｇ即ち３，４×１０−８ｇのプルトニュウム２３８を使用してその時の発電効率Ｘ１３アンペアを測定する。
〔１４〕次に一億分の３，６ｇ即ち３，６×１０−８ｇのプルトニュウム２３８を使用してその時の発電効率Ｘ４アンペアを測定する。
（１５）次に一億分の３，８ｇ即ち３，８×１０−８ｇのプルトニュウム２３８を使用してその時の発電効率Ｘ５アンペアを測定する。
（１６）次に一億分の４．０ｇ即ち４．０×１０−８ｇのプルトニュウム２３８を使用してその時の発電効率Ｘ１６アンペアを測定する。
（１７）次に一億分の４．２ｇ即ち４．２×１０−８ｇのプルトニュウム２３８を使用してその時の発電効率Ｘ１７アンペアを測定する。
（１８）次に一億分の４．４ｇ即ち４．４×１０−８ｇのプルトニュウム２３８を使用してその時の発電効率Ｘ１８アンペアを測定する。
〔１９〕次に一億分の４．６ｇ即ち４．６×１０−８ｇのプルトニュウム２３８を使用してその時の発電効率Ｘ１９アンペアを測定する。
〔２０〕次に一億分の４．８ｇ即ち４．８×１０−８ｇのプルトニュウム２３８を使用してその時の発電効率Ｘ２０アンペアを測定する。
【００２９】（２１）次に一億分の５．０ｇ即ち５．０×１０−８ｇのプルトニュウム２３８を使用してその時の発電効率Ｘ２１アンペアを測定する。
（２２）次に一億分の５．２ｇ即ち５．２×１０−８ｇのプルトニュウム２３８を使用してその時の発電効率Ｘ２２アンペアを測定する。
（２３）次に一億分の５．４ｇ即ち５，４×１０−８ｇのプルトニュウム２３８を使用してその時の発電効率Ｘ２３アンペアを測定する。
〔２４〕次に一億分の５，６ｇ即ち５，６×１０−８ｇのプルトニュウム２３８を使用してその時の発電効率２４アンペアを測定する。
（２５）次に一億分の５，８ｇ即ち５，８×１０−８ｇのプルトニュウム２３８を使用してその時の発電効率２５アンペアを測定する。
（２６）次に一億分の６．０ｇ即ち６０×１０−８ｇのプルトニュウム２３８を使用してその時の発電効率Ｘ２６アンペアを測定する。
（２７）次に一億分の６．２ｇ即ち６．２×１０−８ｇのプルトニュウム２３８を使用してその時の発電効率Ｘ２７アンペアを測定する。
（２８）次に一億分の６．４ｇ即ち６．４×１０−８ｇのプルトニュウム２３８を使用してその時の発電効率Ｘ２８アンペアを測定する。
〔２９〕次に一億分の６．６ｇ即ち６．６×−８ｇのプルトニュウム２３８を使用してその時の発電効率Ｘ２９アンペアを測定する。
〔３０〕次に一億分の６．８ｇ即ち６．８×１０−８ｇのプルトニュウム２３８を使用してその時の発電効率Ｘ３０アンペアを測定する。
【００３０】（３１）次に一億分の７．０ｇ即ち７．０×１０−８ｇのプルトニュウム２３８を使用してその時の発電効率Ｘ３１アンペアを測定する。
（３２）次に一億分の７．２ｇ即ち７．２×１０−８ｇのプルトニュウム２３８を使用してその時の発電効率Ｘ３２アンペアを測定する。
（３３）次に一億分の７．４ｇ即ち７，４×１０−８ｇのプルトニュウム２３８を使用してその時の発電効率Ｘ３３アンペアを測定する。
〔３４〕次に一億分の７，６ｇ即ち７，６×１０−８ｇのプルトニュウム２３８を使用してその時の発電効率Ｘ３４アンペアを測定する。
（３５）次に一億分の７，８ｇ即ち７，８×１０−８ｇのプルトニュウム２３８を使用してその時の発電効率Ｘ３５アンペアを測定する。
（３６）次に一億分の８．０ｇ即ち８．０×１０−８ｇのプルトニュウム２３８を使用してその時の発電効率Ｘ３６アンペアを測定する。
（３７）次に一億分の８．２ｇ即ち８．２×１０−８ｇのプルトニュウム２３８を使用してその時の発電効率Ｘ３７アンペアを測定する。
（３８）次に一億分の８．４ｇ即ち８．４×１０−８ｇのプルトニュウム２３８を使用してその時の発電効率Ｘ３８アンペアを測定する。
〔３９〕次に一億分の８．６ｇ即ち８．６×１０−８ｇのプルトニュウム２３８を使用してその時の発電効率Ｘ３９アンペアを測定する。
〔４０〕次に一億分の８．８ｇ即ち８．８×１０−８ｇのプルトニュウム２３８を使用してその時の発電効率Ｘ４０アンペアを測定する。
【００３１】（４１）次に一億分の９．０ｇ即ち９．０×１０−８ｇのプルトニュウム２３８を使用してその時の発電効率Ｘ４１アンペアを測定する。
（４２）次に一億分の９．２ｇ即ち９．２×１０−８ｇのプルトニュウム２３８を使用してその時の発電効率Ｘ４２アンペアを測定する。
（４３）次に一億分の９．４ｇ即ち９，４×１０−８ｇのプルトニュウム２３８を使用してその時の発電効率Ｘ４３アンペアを測定する。
〔４４〕次に一億分の９，６ｇ即ち９，６×１０−８ｇのプルトニュウム２３８を使用してその時の発電効率Ｘ４４アンペアを測定する。
（４５）次に一億分の９，８ｇ即ち９，８×１０−８ｇのプルトニュウム２３８を使用してその時の発電効率Ｘ４５アンペアを測定する。
※    ※    ※    ※    ※
（４６）◎次に一億分の１０，０ｇ即ち１０、０×１０−８ｇ即ち＝１，０×１０−７ｇのプルトニュウム２３８を使用してその時の発電効率Ｘ４６アンペアを測定する。
（４７）次に一千万分の１．２ｇ即ち１．２×１０−７ｇのプルトニュウム２３８を使用してその時の発電効率Ｘ４７アンペアを測定する。
（４８）次に一千万分の１．４ｇ即ち１．４×１０−７ｇのプルトニュウム２３８を使用してその時の発電効率Ｘ４８アンペアを測定する。
〔４９〕次に一千万分の１．６ｇ即ち１．６×１０−７ｇのプルトニュウム２３８を使用してその時の発電効率Ｘ４９アンペアを測定する。
〔５０〕次に一千万分の１．８ｇ即ち１．８×１０−７ｇのプルトニュウム２３８を使用してその時の発電効率Ｘ５０アンペアを測定する。
【００３２】（５１）次に一千万分の２．０ｇ即ち２．０×１０−７ｇのプルトニュウム２３８を使用してその時の発電効率Ｘ５１アンペアを測定する。
（５２）次に一千万分の２．２ｇ即ち２．２×１０−７ｇのプルトニュウム２３８を使用してその時の発電効率Ｘ５２アンペアを測定する。
〔５３〕次に一千万分の２．４ｇ即ち２．４×１０−７ｇのプルトニュウム２３８を使用してその時の発電効率Ｘ５３アンペアを測定する。
〔５４〕次に一千万分の２．６ｇ即ち２．６８×１０−７ｇのプルトニュウム２３８を使用してその時の発電効率Ｘ５４アンペアを測定する。
（５５）次に一千万分の２．８ｇ即ち２．８×１０−７ｇのプルトニュウム２３８を使用してその時の発電効率Ｘ５５アンペアを測定する。
（５６）次に一千万分の３．０ｇ即ち３．０×１０−７ｇのプルトニュウム２３８を使用してその時の発電効率Ｘ５６アンペアを測定する。
〔５７〕次に一千万分の３．２ｇ即ち３．２×１０−７ｇのプルトニュウム２３８を使用してその時の発電効率Ｘ５７アンペアを測定する。
〔５８〕次に一千万分の３．４ｇ即ち３．４×１０−７ｇのプルトニュウム２３８を使用してその時の発電効率Ｘ５８アンペアを測定する。
（５９）次に一千万分の３．６ｇ即ち３．６×１０−７ｇのプルトニュウム２３８を使用してその時の発電効率Ｘ５９アンペアを測定する。
（６０）次に一千万分の３．８ｇ即ち３．８×１０−７ｇのプルトニュウム２３８を使用してその時の発電効率Ｘ６０アンペアを測定する。
【００３３】（６１）次に一千万分の４．０ｇ即ち４．０×１０−７ｇのプルトニュウム２３８を使用してその時の発電効率Ｘ６１アンペアを測定する。
（６２）次に一千万分の４．２ｇ即ち４．２×１０−７ｇのプルトニュウム２３８を使用してその時の発電効率Ｘ６２アンペアを測定する。
〔６３〕次に一千万分の４．４ｇ即ち４．４×１０−７ｇのプルトニュウム２３８を使用してその時の発電効率Ｘ６３アンペアを測定する。
〔６４〕次に一千万分の４．６ｇ即ち４．６×１０−７ｇのプルトニュウム２３８を使用してその時の発電効率Ｘ５４アンペアを測定する。
（６５）次に一千万分の４．８ｇ即ち４．８×１０−７ｇのプルトニュウム２３８を使用してその時の発電効率Ｘ６５アンペアを測定する。
（６６）次に一千万分の５．０ｇ即ち５．０×１０−７ｇのプルトニュウム２３８を使用してその時の発電効率Ｘ６６アンペアを測定する。
〔６７〕次に一千万分の５．２ｇ即ち５．２×１０−７ｇのプルトニュウム２３８を使用してその時の発電効率Ｘ６７アンペアを測定する。
〔６８〕次に一千万分の５．４ｇ即ち５．４×１０−７ｇのプルトニュウム２３８を使用してその時の発電効率Ｘ６８アンペアを測定する。
（６９）次に一千万分の５．６ｇ即ち５．６×１０−７ｇのプルトニュウム２３８を使用してその時の発電効率Ｘ６９アンペアを測定する。
（７０）次に一千万分の５．８ｇ即ち５．８×１０−７ｇのプルトニュウム２３８を使用してその時の発電効率Ｘ７０アンペアを測定する。
【００３４】（７１）次に一千万分の６．０ｇ即ち６．０×１０−７ｇのプルトニュウム２３８を使用してその時の発電効率Ｘ７１アンペアを測定する。
（７２）次に一千万分の６．２ｇ即ち６．２×１０−７ｇのプルトニュウム２３８を使用してその時の発電効率Ｘ７２アンペアを測定する。
〔７３〕１次に一千万分の６．４ｇ即ち６．４×１０−７ｇのプルトニュウム２３８を使用してその時の発電効率Ｘ７３アンペアを測定する。
〔７４〕次に一千万分の６．６ｇ即ち６．６×１０−７ｇのプルトニュウム２３８を使用してその時の発電効率Ｘ７４アンペアを測定する。
（７５）次に一千万分の６．８ｇ即ち６．８×１０−７ｇのプルトニュウム２３８を使用してその時の発電効率Ｘ７５アンペアを測定する。
（７６）次に一千万分の７．０ｇ即ち７．０×１０−７ｇのプルトニュウム２３８を使用してその時の発電効率Ｘ７６アンペアを測定する。
〔７７〕次に一千万分の７．２ｇ即ち７．２×１０−７ｇのプルトニュウム２３８を使用してその時の発電効率Ｘ７７アンペアを測定する。
〔７８〕次に一千万分の７．４ｇ即ち７．４×１０−７ｇのプルトニュウム２３８を使用してその時の発電効率Ｘ７８アンペアを測定する。
（７９）次に一千万分の７．６ｇ即ち７．６×１０−７ｇのプルトニュウム２３８を使用してその時の発電効率Ｘ７９アンペアを測定する。
（８０）次に一千万分の７．８ｇ即ち７．８×１０−７ｇのプルトニュウム２３８を使用してその時の発電効率Ｘ８０アンペアを測定する。
【００３５】（８１）次に一千万分の８．０ｇ即ち８．０×１０−７ｇのプルトニュウム２３８を使用してその時の発電効率Ｘ８１アンペアを測定する。
（８２）次に一千万分の８．２ｇ即ち８．２×１０−７ｇのプルトニュウム２３８を使用してその時の発電効率Ｘ８２アンペアを測定する。
〔８３〕次に一千万分の８．４ｇ即ち８．４×１０−７ｇのプルトニュウム２３８を使用してその時の発電効率Ｘ８３アンペアを測定する。
〔８４〕次に一千万分の８．６ｇ即ち８．６×１０−７ｇのプルトニュウム２３８を使用してその時の発電効率Ｘ８４アンペアを測定する。
（８５）次に一千万分の８．８ｇ即ち８．８×１０−７ｇのプルトニュウム２３８を使用してその時の発電効率Ｘ８５アンペアを測定する。
（８６）次に一千万分の９．０ｇ即ち９．０×１０−７ｇのプルトニュウム２３８を使用してその時の発電効率Ｘ８６アンペアを測定する。
〔８７〕次に一千万分の９．２ｇ即ち９．２×１０−７ｇのプルトニュウム２３８を使用してその時の発電効率Ｘ８７アンペアを測定する。
〔８８〕次に一千万分の９．４ｇ即ち９．４×１０−７ｇのプルトニュウム２３８を使用してその時の発電効率Ｘ８８アンペアを測定する。
（８９）次に一千万分の９．６ｇ即ち９．６×１０−７ｇのプルトニュウム２３８を使用してその時の発電効率Ｘ８９アンペアを測定する。
（９０）次に一千万分の９．８ｇ即ち９．８×１０−７ｇのプルトニュウム２３８を使用してその時の発電効率Ｘ９０アンペアを測定する。
【００３６】（９１）次に一千万分の１０．０即ち１０．０×１０−７ｇ＝１．０×    １０−６＝百万分の１ｇのプルトニュウム２３８を使用してその時の発電効率Ｘ９１アンペアを測定する。
※    ※    ※    ※    ※
以上一億分の１ｇから百万分の一ｇまでをひと繋がりに測定計算する。
その時仮に（４６）の様に一千万分の１ｇまで来た時  Ｘ４６  が例えば１００ｍＡの発電効率を得るなら（この様に電磁線と同じ１００ｍＡの発電効率を示すプルトニュウム２３８の量を得る事が此の提案の大切な眼目である。）、此の量のプルトニュウム２３８をα線型太陽電池モジュールに与えるとα線型太陽電池モジュールは二個の太陽電池を持ち、２００ｍＡの発電効率を持ち、此を、後に述べるα線型太陽電池アレイＮｏ．２に適用するなら、α線型太陽電池アレイＮｏ．２は１００ボルト１００アンペアの発電効率を持つことになる。
【００３７】  上記の計算、計測は蛍光体４０μｍの層で行う。此の計測と全く同じ事を、８０μｍ、２００μｍ、８００μｍ、１８００μｍの層に付いて行われなければならない。
蛍光体の層が１８００μｍと厚ければプルトニュウム２３８による太陽電池の劣化が少なくなるものと期待される。
また、蛍光体とプルトニュウム２３８の混合物、例えば重量等量混合物などを使用すればプルトニュウム２３８による太陽電池の劣化破損を或る程度防げる可能性があると考える。その他重量等量混合物ではなく様々の割合の混合物に付いて発電効率の計測が行われれば、良い結果を得る事が出来るのではないかと考える。
【００３８】  α線型太陽電池モジュールに付いて：
第五の提案（※▲８▼第六図参照）において、α線型太陽電池モジュールを此の様な構造とした理由は、こうする事によって、正四角形型の、又は、直方体のレンガ状のブロックを作り、（（図７）▲９▼参照）、一万個二万個と積層し易くする為、また計算し易くする為である。また、図７は、α線型太陽電池モジュールと冷却水の層、即ちα線型太陽電池モジュール一個と冷却水の層を５ｍｍ又は１０ｍｍとした場合のα線型太陽電池モジュールのレンガ状の形態を示す断面の概念図である。
※    ※    ※    ※    ※
【００３９】  前述した様に、前記の（４６）のＸ４６ｇが１００ｍＡの発電効率を示したとするとそれは、詰まりα線のエネルギー領域が充分に下降し可視光のエネルギー領域と繋がった事になる。そしてα線型太陽電池モジュールが、電磁線（太陽光）による太陽電池二個と同じく２００ｍＡ前後の発電効率を持つ迄、充分に縮小化した事を意味する。そしてα線型太陽電池モジュールは２００ｍＡ、５ボルトの発電効率を持って居ることになる。
太陽電池はその厚さが１，５６５μｍであった。それに蛍光体とプルトニュウム２３８の層を加えても、その厚さを５ｍｍ以下とする事が可能である。これに冷却水の層を、５ｍｍ乃至１０ｍｍとして、冷却水の層とα線型太陽電池モジュール一個とで一単位とする。
その一単位は２個の太陽電池を持ち、２００ｍＡの発電効率を持ち１０〜１５ｍｍの厚さとなる。これが第八の提案である。（図７）▲９▼参照。
【００４１】  α線型太陽電池アレイＮｏ．２の説明：
α線型太陽電池モジュール〔８〕を１０個並列に繋げれば、その発電効率は２０００ｍＡ即ち２アンペアとなる。この様に１０個のα線型太陽電池モジュールを積み重ねた構造を向後、α線型太陽電池デバイスと呼ぶこととする。すると、此のα線型太陽電池デバイスは約１〜１，５リットルにの体積と５ボルト２アンペアの発電効率を持ち、２０個の太陽電池からなっている。
このα線型太陽電池デバイス２０個を直列に繋げば１００ボルト２アンペアの発電効率を持つことになる。
これをα線型太陽電池アレイＮｏ．１と名付ける。するとこのα線型太陽電池アレイＮｏ．１は４００個の太陽電池を持ち体積は２０〜３０リットルである。
更に、このα線型太陽電池アレイＮｏ．１を５０個並列に繋げば、体積は１０００リットル即ち１，０〜１，５立方メートルとなり（先の仮定により）１００ボルト１００アンペアの発電効率を示す。そして二万個の太陽電池を持っている。これをα線型太陽電池アレイＮｏ．２と名付ける。
※    ※    ※    ※    ※
【００４２】  一千万分の１のプルトニュウム２３８で１００ｍＡの発電効率を持つとして、これを二個用いて、一個のα線型太陽電池モジュールを作る。そしてα線型太陽電池アレイＮｏ．２は電磁線の場合と同じ様に、１００ボルト１００アンペアの発電効率を持つ事になる。そして二万個の太陽電池を持つ事になる。
公開特許公報（Ａ）（特許出願公開番号：特開２００７−３０３８２３（ｐ２００７−３０３８２３Ａ））８頁、９頁には次の様に記載されている、
「プルトニュウム２３８必要量の計算：
此のα線型太陽電池アレイＮｏ．２を一千個作ればその体積は一千立方メートル〜一千五百立方メートル、即ち縦１０メートル、横１０メートル、奥行き１０メートル乃至１５メートルの大きさの体積を持つ事になる。そして２千万個の太陽電池を持つことになる。此の場合のプルトニュウム２３８の使用量は、千万分の一ｇ×２千万＝２ｇとなる。
従って２ｇで十万アンペアの発電効率を持つ事になる。此をα線型太陽電池アレイＮｏ．３と名付ける。繰り返すと、α線型太陽電池アレイＮｏ．３は二千万個の太陽電池を持ち、十万アンペアの発電効率を持つ事になる。そして２ｇのプルトニュウム２３８を必要とすす事になる。
※    ※    ※    ※    ※
【００４３】  もしα線型太陽電池アレイＮｏ．３を二個作るならば四千万個の太陽電池を持ち２０万アンペアの発電効率を持ち４ｇのプルトニュウム２３８を必要とすることになる。」
これは計算違いをしている。正しくは次の様になる。
「プルトニュウム２３８必要量の計算：
此のα線型太陽電池アレイＮｏ．２を一千個作れば、２千万個の太陽電池を持ち体積は千〜千五百立方メートルとなり、２ｇ×１０００即ち、２０００ｇのプルトニュウム２３８を持ち１０万アンペアの発電効率を持つことになる。
此れをα線型太陽電池アレイＮｏ．３と名付ける。
繰り返すと、α線型太陽電池アレイＮｏ．３は二千万個の太陽電池を持ち、十万アンペアの発電効率を持つ事になる。そして２０００ｇのプルトニュウム２３８を必要とする事になる。
※    ※    ※    ※    ※
【００４３】  もしα線型太陽電池アレイＮｏ．３を二個作るならば四千万個の太陽電池を持ち２０万アンペアの発電効率を持ち４０００ｇのプルトニュウム２３８を必要とすることになる。」
※    ※    ※    ※    ※
【００４４】  この考案の成果
この「α線と蛍光体と太陽電池よりなる第二の原子力発電法」を制作するのと同じプロセスを踏む事によって、α崩壊をなす同位元素即ち、α線を放出する放射性同位元素ならこの提案に、それを利用する事ができるものと考える。
提案の成果
従来の太陽電池住宅では１００〜３００坪の面積しかなかった。
それでは、此のα線型太陽電池アレイＮｏ．３の場合を考えると。二千万個の太陽電池は一個１００平方ｃｍの太陽電池面積の二千万個からなっている。その総面積は２０万平方メートルである。この値が縦１０メートル横１０メートル奥行き１５メートルのコンパクトな形に収まっている。学校の雨天体操場の様な建築物に充分に収まる大きさである。
但し、相当な発熱が予想されるから、海岸線からあまり遠くない地点に設けるか、大きな湖、例えば、琵琶湖、猪苗代湖、佐久間ダムの上、等に設けられねばならない。原子炉、蒸気タービン、発電機等の高価で且つ大きな複雑な機械施設や建築物が必要でない。安価で安全な発電法である。
従来の核分裂により、その熱エネルギーで蒸気タービンを回して発電する現在の原子力発電法に次ぐ、第二の原子力発電手段として、研究に値するものと考える。
【００４５】  従来の太陽電池発電には、本発明の様な可視光以外の放射線（α線）を利用すると言う思想が無かった。必ず可視光等の電磁線を利用しなければならず、電源として、α線を用いると言う思想が無かった。
ａ）従来の太陽電池発電の様に、太陽光の利用できない夜間、太陽光の利用できない場所では使用できないと言う決定的な制約から解放される。
ｂ）又、何千個も積層する事が検討されて無かった。本発明で、始めて、その様な太陽電池の何千個もの太陽電池が積層すると言うことが可能となった。従来の方法では、何千個もの太陽電池を積層する事が不可能であり、それに対する考え方が無かった。本発明で始めてそれが可能となった。
【００４６】ｃ）α線を利用するから太陽光その他の可視光を利用しない。電磁線より数段と高いエネルギーを持つα線を利用するから大きな発電効率を示す。
ｄ）原子炉、タービン、発電機、等のような複雑かつ高価な大きな施設を必要としない。従ってまた安価で安全なそして危険の無い電気エネルギーを提供するものである。
ｅ）戦争等の非常時にあって、その施設、原料等必要な機材を航空機によって運搬輸入する事が出来る。
ｆ）重水素その他、α線を与える、α崩壊をなす、殆ど全ての元素が使用可能と考えられる。
【図面の簡単な説明】
【００４７】
【図１】▲１▼：プルトニュウム２３８よりのα線が蛍光体を通過して蛍光となり太陽電池に照射している事を示す、本出願の全体像を示す概念図である。
【図２】▲２▼：太陽電池の上に蛍光体を置きその上にプルトニュウム２３８を置いた状態を説明する概念図である。
2007303823.tif 000002
【図３】▲５▼：プルトニュウム２３８の小球体を太陽電池の上に置いた時の状態を示す概念図である。
【図４】▲６▼：太陽電池の上に板状プルトニュウム２３８を置いた時の状態を示す概念図である。
【図５】▲７▼：集団検診用胸部単純撮影装置の蛍光体板の概念図である。４２０×４１０ｍｍのほぼ正方形をなす。
【図６】▲８▼：α線型太陽電池モジュールの断面の概念図である。
【図７】▲９▼：α線型太陽電池モジュールに冷却水を５ｍｍから１０ｍｍ重ねた状態を示す概念図である。
【図８】Ａ▲１０▼：太陽電池の概念図である。
【図９】Ｂ▲１１▼：太陽電池の周辺に粘土で高さ幅共に４〜５ｍｍの堤防を築いた上に牛乳を１０ｃｃ流し込んだ状態を示す概念図である。牛乳の量が足らず牛乳は太陽電池全面に覆っていない状態である。
【図１０】Ｃ▲１２▼：同じく堤防を築き牛乳を２０ｃｃ流し込んだ時の太陽電池の堤防の上に牛乳を流し込んだ図である。牛乳はほぼ太陽電池の全面に及んでいるが、図１０でははっきりしないが牛乳が辛うじてその全面を覆っている概念図である。
【図１１】Ｄ▲１３▼：図１０、図１１と同じく牛乳を２５〜３０ｃｃ流し込んだ状態を示す。牛乳が図１０に比べ（図には良く現れていないが）牛乳による、白色が濃くなっていることを示す概念図である。
【符号の説明】
【００４８】１太陽電池
２プルトニュウム２３８
３蛍光体板
４透明伝道膜
５蛍光体
６牛乳
８α線型太陽電池モジュール
９プルトニュウム２３８の小球体
１０α線
１１蛍光
１２板状プルトニュウム
１３冷却水の層（１０ｍｍ）
１４冷却水の層（５ｍｍ）
１７蛍光体と太陽電池とα線よりなる発電装置Ｎｏ．２
１８堤防
１９電磁線
【手続補正２】
【補正対象書類名】特許請求の範囲
【補正対象項目名】全文
【補正方法】変更
【補正の内容】
【特許請求の範囲】
【請求項１】
太陽電池（１）の上に蛍光体（５）を敷き詰め、その上にプルトニュウム２３８（２）を位置せしめた事を特徴とする、α線と蛍光体と太陽電池よりなる第二の原子力発電法
【請求項２】
透明伝道膜〔４〕を真ん中に挟んで、サンドイッチ状に、その両側にプルトニュウム２３８（２）を置き、更にその両側に蛍光体板（３）を位置せしめ、更にその両側に、太陽電池（１）を位置せしめる。この構造を向後、α線型太陽電池モジュール（８）と名付ける。そしてこのα線型太陽電池モジュール〔８〕を多数積層して発電を行う事を特徴とした、請求項第１項記載のα線と蛍光体と太陽電池よりなる第二の原子力発電法
【請求項３】
上記α線型太陽電池モジュール〔８〕は、太陽電池（１）が極端に薄い即ち、ｐ層が１５０Å、ｉ層が５０００Å、ｎ層が５００Å、アルミニウム電極１μｍ、合計しても１，５６５μｍとなり、架台を含めても、１０〜１５ｍｍとする事が出来る。この構造を幾千個も積層する事によってなる、請求項第１項記載のα線と蛍光体と太陽電池よりなる第二の原子力発電法
【請求項４】
電磁線ではなくプルトニュウム２３８の放出するα線〔１０〕を用いて発電する、請求項第１項記載のα線と蛍光体と太陽電池よりなる第二の原子力発電法
【請求項５】
この「α線と蛍光体と太陽電池よりなる第二の原子力発電法」を製作するのと同じプロセスを踏む事によって、α崩壊をなす全ての同位元素即ち、α線を放出する全ての放射性同位元素を用いてなる、請求項第１項記載のα線と蛍光体と太陽電池よりなる第二の原子力発電法
【請求項６】
プルトニュウム２３８と蛍光体を様々な割合で混合し、その混合物を太陽電池の上に直接位置せしめて発電を行う請求項第１項記載のα線と蛍光体と太陽電池よりなる第二の原子力発電法
【手続補正３】
【補正対象書類名】図面
【補正対象項目名】全図
【補正方法】変更
【補正の内容】
【図１】
2007303823.tif 000003
【図２】
2007303823.tif 000004
【図３】
2007303823.tif 000005
【図４】
2007303823.tif 000006
【図５】
2007303823.tif 000007
【図６】
2007303823.tif 000008
【図７】
2007303823.tif 000009
【図８】
2007303823.tif 000010
【図９】
2007303823.tif 000011
【図１０】
2007303823.tif 000012
【図１１】
2007303823.tif 000013